(57)【要約】      （修正有）【課題】室内物干し装置およびそのためのユニットを提供する。【解決手段】物干し竿ホルダを一端に備え、他端にストッパ１０５を備える物干し竿取付棒１０３と、物干し竿取付棒１０３のストッパ１０５を備える他端を収容し、ストッパ１０５と係合する突起１０６が上側内面から延び、かつ物干し竿取付棒１０３を挿通する開口を備える収容スペース１０２を有するとともに室内に配置された固定部材に固定される支持部材１０１と、伸縮可能であり、弾性体を含む端部ストッパを両端に備え、かつ物干し竿ホルダに装着されて洗濯物を吊すための物干し竿１０４とを備える【選択図】図１
0003158884.tif 000002
【実用新案登録請求の範囲】
【請求項１】
物干し竿ホルダを一端に備え、他端にストッパを備える物干し竿取付棒と、
前記物干し竿取付棒の前記ストッパを備える他端を収容し、前記ストッパと係合する突起が上側から延び、かつ前記物干し竿取付棒を挿通する開口を備える収容スペースを有するとともに室内に配置された固定部材に固定される支持部材と、
伸縮可能であり、弾性体を含む端部ストッパを両端に備え、かつ前記物干し竿ホルダに装着されて洗濯物を吊すための物干し竿と
を含む、室内物干し装置。
【請求項２】
物干し竿ホルダを一端に備え、他端にストッパを備える物干し竿取付棒と、
前記物干し竿取付棒の前記ストッパを備える他端を収容し、前記ストッパと係合する突起が上側から延び、かつ前記物干し竿取付棒を挿通する開口を備える収容スペースを有するとともに室内に配置された固定部材に固定される支持部材と、
伸縮可能であり、弾性体を含む端部ストッパを両端に備え、かつ前記物干し竿ホルダに装着されて洗濯物を吊すための物干し竿とを含み、
前記物干し竿ホルダの締付けにより前記物干し竿が固定され、前記物干し竿ホルダの開放により、前記物干し竿の長さが伸縮可能とされており、前記物干し竿の延長時に前記物干し竿の端部ストッパが室内壁に突っ張って洗濯物の荷重を支持する、室内物干し装置。
【請求項３】
物干し竿ホルダを一端に備え、他端にストッパを備える物干し竿取付棒と、
前記物干し竿取付棒の前記ストッパを備える他端を収容し、前記ストッパと係合する突起が上側から延び、かつ前記物干し竿取付棒を挿通する開口を備える収容スペースを有するとともに室内に配置された固定部材に固定される支持部材と
伸縮可能であり、弾性体を含む端部ストッパを両端に備え、かつ前記物干し竿ホルダに装着されて洗濯物を吊すための物干し竿と
を含み、
前記ストッパは、前記収容スペースの高さから前記突起の高さを減じたよりも短い長さとされ、前記開口は、前記物干し竿取付棒よりも大きく形成されて、前記ストッパと前記突起とが、前記物干し竿取付棒の荷重バランスに基づき前記物干し竿取付棒が水平面に相対して傾斜することにより前記突起に係合して前記物干し竿取付棒を固定し、前記物干し竿取付棒を反対側に傾斜させることにより前記物干し竿取付棒の前記固定部材との相対距離が可変とされる、室内物干し装置。
【請求項４】
物干し竿ホルダを一端に備え、他端にストッパを備える物干し竿取付棒と、
前記物干し竿取付棒の前記ストッパを備える他端を収容し、前記ストッパと係合する突起が上側から延び、かつ前記物干し竿取付棒を挿通する開口を備える収容スペースを有するとともに室内に配置された固定部材に固定される支持部材と
伸縮可能であり、弾性体を含む端部ストッパを両端に備え、かつ前記物干し竿ホルダに装着されて洗濯物を吊すための物干し竿と
を含み、
前記ストッパは、前記収容スペースの高さから前記突起の高さを減じたよりも短い長さとされ、前記開口は、前記物干し竿取付棒よりも大きく形成されて、前記ストッパと前記突起とが、前記物干し竿取付棒の荷重バランスに基づき前記物干し竿取付棒が水平面に相対して傾斜することにより前記突起に係合して前記物干し竿取付棒を固定し、前記物干し竿取付棒を反対側に傾斜させることにより前記物干し竿取付棒の前記固定部材との相対距離が可変とされ、前記物干し竿ホルダの締付けにより前記物干し竿が固定され、前記物干し竿ホルダの開放により、前記物干し竿の長さが伸縮可能とされており、前記物干し竿の延長時に前記物干し竿の端部ストッパが室内壁に突っ張って洗濯物の荷重を支持する、室内物干し装置。
【請求項５】
物干し竿ホルダを一端に備え、他端にストッパを備える物干し竿取付棒と、
前記物干し竿取付棒の前記ストッパを備える他端を収容し、前記ストッパと係合する突起が上側から延び、かつ前記物干し竿取付棒を挿通する開口を備える収容スペースを有するとともに室内に配置された固定部材に固定される支持部材と
伸縮可能であり、弾性体を含む端部ストッパを両端に備え、かつ前記物干し竿ホルダに装着されて洗濯物を吊すための物干し竿と
を含み、
前記ストッパは、前記収容スペースの高さから前記突起の高さを減じたよりも短い長さとされ、前記開口は、前記物干し竿取付棒よりも大きく形成されて、前記ストッパと前記突起とが、前記物干し竿取付棒の荷重バランスに基づき前記物干し竿取付棒が水平面に相対して傾斜することにより前記突起に係合して前記物干し竿取付棒を固定し、前記物干し竿取付棒を反対側に傾斜させることにより前記物干し竿取付棒の前記固定部材との相対距離が可変とされ、前記物干し竿ホルダの締付けにより前記物干し竿が固定され、前記物干し竿ホルダの開放により、前記物干し竿の長さが伸縮可能とされており、前記物干し竿に装着され、前記物干し竿の延長時に前記物干し竿に交差する方向に延びた支持ステーが室内壁に突っ張って前記洗濯物の荷重を支持する、室内物干し装置。
【請求項６】
物干し竿ホルダを一端に備え、他端にストッパを備える物干し竿取付棒と、
前記物干し竿取付棒の前記ストッパを備える他端を収容し、前記ストッパと係合する突起が上側面から延び、かつ前記物干し竿取付棒を挿通する開口を備える収容スペースを有するとともに室内に配置された固定部材に固定される支持部材と
伸縮可能であり、弾性体を含む端部ストッパを両端に備え、かつ前記物干し竿ホルダに装着されて洗濯物を吊すための物干し竿と
を含み、
前記ストッパは、前記収容スペースの高さから前記突起の高さを減じたよりも短い長さとされ、前記開口は、前記物干し竿取付棒よりも大きく形成されて、前記ストッパと前記突起とが、前記物干し竿取付棒の荷重バランスに基づき前記物干し竿取付棒が水平面に相対して傾斜することにより前記突起に係合して前記物干し竿取付棒を固定し、前記物干し竿取付棒を反対側に傾斜させることにより前記物干し竿取付棒の前記固定部材との相対距離が可変とされ、前記物干し竿ホルダの締付けにより前記物干し竿が固定され、前記物干し竿ホルダの配向により、前記物干し竿の長さが伸縮可能とされており、前記物干し竿に装着され、前記物干し竿の延長時に前記物干し竿に交差する方向に延びた支持ステーが床面に突っ張って前記洗濯物の荷重を支持する、室内物干し装置。
【請求項７】
請求項１〜請求項６に記載の室内物干し装置のための物干し竿取付棒と、支持部材と、物干し竿とを含む室内物干しユニット。
【考案の詳細な説明】
【技術分野】
【０００１】
本考案は、室内に洗濯物などを干すための物干し装置に関し、より詳細には、洗濯物の量に簡単に対応でき、大量の洗濯物をかけた場合にでもカーテンレールに過度の負担をかけることなく、しっかりと洗濯物を干すことができる室内物干し装置およびユニットに関する。
【背景技術】
【０００２】
室内の窓に付けられたカーテンレールに物干し装置を取り付けた物干し装置が知られている。
【先行技術文献】
【特許文献】
【０００３】
【特許文献１】特開２０００−８３８０３号公報
【特許文献２】実開平７−７５８０号公報
【考案の概要】
【考案が解決しようとする課題】
【０００４】
カーテンレールに装着して使用される室内物干し装置は、窓際のスペースを効率的に利用して天候の変化などを気にすることなく便利に使用されている。しかしながら、これまで知られているカーテンレールに装着して利用される室内物干し装置は、物干し竿の長さが固定されてしまい、洗濯物が多くなった場合に対応することができないという問題があった。これに対応するため、長尺の物干し竿を利用することもできるが、室内に置かれるため来客時など、長尺の物干し竿がそのまま延びていると見栄えが悪いという問題があった。また、物干し竿を長尺にすれば多くの洗濯物を干すことができるが、カーテンレールは、本来では大量の洗濯物が干されることを前提として設計されていないので、カーテンレールが曲がるとか、カーテンレールを止める木枠などを痛めるなどの問題点もあった。
【課題を解決するための手段】
【０００５】
本考案は、上述した従来技術の問題点に鑑みてなされたものであり、本考案は、カーテンレールに装着して使用される伸縮可能な物干し竿を使用した室内物干し装置および室内物干し装置を製造するためのユニットを提供することを目的とする。
【０００６】
本考案では、物干し竿ホルダを一端に備え、他端にストッパを備える物干し竿取付棒と、
前記物干し竿取付棒の前記ストッパを備える他端を収容し、前記ストッパと係合する突起が上側内面から延び、かつ前記物干し竿取付棒を挿通する開口を備える収容スペースを有するとともに室内に配置された固定部材に固定される支持部材と、
伸縮可能であり、弾性体を含む端部ストッパを両端に備え、かつ前記物干し竿ホルダに装着されて洗濯物を吊すための物干し竿と
前記物干し竿ホルダの締付けにより前記物干し竿が固定され、前記物干し竿ホルダの開放により、前記物干し竿の長さが変更可能とされており、前記の物干し竿の延長時に前記物干し竿の端部ストッパが室内壁に突っ張って洗濯物の荷重を支持する、室内物干し装置が提供される。
【０００７】
本考案の前記ストッパは、前記収容スペースの高さから前記突起の高さを減じたよりも短い長さとされ、前記開口は、前記物干し竿取付棒よりも大きく形成されて、前記ストッパと前記突起とが、前記物干し竿取付棒の荷重バランスに基づき前記物干し竿取付棒が水平面に相対して傾斜することにより前記突起に係合して前記物干し竿取付棒を固定し、前記物干し竿取付棒を反対側に傾斜させることにより前記物干し竿取付棒の前記固定部材との相対距離が可変とすることができる。
【０００８】
本考案では、前記物干し竿の延長時に前記物干し竿に交差する方向に延びた支持ステーが室内壁に突っ張って前記洗濯物の荷重を支持することができる。本考案では、前記物干し竿に装着され、前記物干し竿の延長時に前記物干し竿に交差する方向に延びた支持ステーが床面に突っ張って前記洗濯物の荷重を支持することができる。
【０００９】
本考案では、上記構成を備える室内物干し装置のための物干し竿取付棒と、支持部材と、物干し竿とを含む室内物干しユニットが提供できる。
【図面の簡単な説明】
【００１０】
【図１】本考案の室内物干し装置の側面図。
【図２】本考案の室内物干し装置がカーテンレールに装着された状態での上面図。
【図３】物干しの延長機構を示した図。
【図４】本考案の室内物干し装置の使用形態を示した図。
【図５】本考案の室内物干し装置の他の使用形態を示した図。
【図６】本考案の室内物干し装置のさらに他の使用形態を示した図。
【考案を実施するための形態】
【００１１】
以下、本考案を図面に示した実施形態をもって説明する。図１は、本実施形態の室内物干し装置１００を示した図である。なお、図１中、室内物干し装置１００の一部を説明の便宜上断面として示す。室内物干し装置１００は、カーテンレール１０７といった固定部材上に、複数のユニット部材を組み合わせて構成されており、物干し竿取付棒１０３を収容する支持部材１０１が、留め部材１０８を介して固定されている。留め部材１０８は、支持部材１０１から延びた係止爪がカーテンレール１０７の両外側に係合し、さらに室内側のカーテンレール１０７に対して係合片を留め部材１０８越しに螺合されたネジにより押圧してフィッティングさせることにより、支持部材１０１をカーテンレール１０７に対して固定している。カーテンレール１０７は、窓枠１２０に対して破線で示したレール止め金具により固定されている。窓枠１２０は、室内壁１４０に取付けられ、アルミサッシなどで形成された窓１３０を保持している。
【００１２】
カーテンレール１０７は、カーテン金具を介してカーテンレール１０７からカーテン１１０を移動自在にそれぞれ吊り下げている。室内物干し装置１００は、さらに留め部材１０８が取り付けられたベース材と、物干し竿取付棒１０３と、ベース材の上側に設けられ、物干し竿取付棒１０３を紙面左右に移動可能に収容するスペースを有する支持部材１０１とを含んでいる。留め部材１０８は、カーテンレール１０７に嵌合する形状とされ、固定チップは、アルミニウムなどの金属から形成され、適宜、締め付けネジなどによりカーテンレール１０７に室内物干し装置１００を固定する。
【００１３】
物干し竿取付棒１０３は、物干し竿１０４が取付けられる側に対向する側の端部にストッパ１０５を備えており、支持部材１０１の上側から収容スペースに延びた突起１０６に係合して、物干し竿１０４の窓枠１２０からの距離を移動可能に固定している。なお、支持部材１０１および物干し竿取付棒１０３は、断面が矩形とされていてもよいし、断面が円形とされていてもよいが、断面を円形とする場合、コンパクトな形状とすることができるので好ましい。突起は、支持部材１０１の内面に一体形成することもできるし、支持部材１０１の上側に突起１０６を形成するように切り込みを設けることでも形成できるし、突起１０６を形成するプレート材を、支持部材１０１の突起１０６を形成するべき箇所に形成したスリットに嵌め込むことでも形成することができ、間隔についても適宜取扱性などを考慮して設定することができる。
【００１４】
ストッパ１０５の高さは、支持部材１０１内の収容スペース１０２の高さから支持部材１０１の上側面から延びる突起１０６の高さを減じた長さよりも小さくされている。また支持部材１０１の物干し竿１０４側には、ストッパ１０５を係止するための開口１００ａが形成され、この開口１００ａは、物干し竿取付棒１０３の寸法よりも大きく形成されている。この結果、物干し竿１０４を装着した段階では、物干し竿取付棒１０３は、その荷重バランスの偏りの関係から、紙面時計回り方向の「停止方向」のトルクを受け、開口１００ａの適切な位置が支点となってストッパ１０５を支持部材１０１の上面に当接させ、同時に収容スペース１０２の下側には、遊び１０９が形成される。この結果、物干し竿取付棒１０３が引き出された場合、突起１０６に当接した位置でストッパ１０５と、突起１０６とが係合し、物干し竿取付棒１０３の引出しが停止する。
【００１５】
また、物干し竿取付棒１０３を使用せず、カーテン１１０側に押し込めたいときや、カーテン１１０からさらに離して洗濯物を干したいときは、物干し竿１０４をこころもち上側に持ち上げることで、ストッパ１０５が、遊び１０９まで変位し、この結果、突起１０６と、ストッパ１０５との係合が開放され、収納・引出しが可能となる。なお、突起１０６は、適切な位置に複数設けることで、カーテン１１０からの距離を設定することができる。
【００１６】
図２は、本実施形態の室内物干し装置１００を、カーテンレール１０７に装着した状態とした場合の上面図である。カーテンレール１０７は、カーテンレール取付具１５３により窓枠１２０に固定されている。また、図２に示されるように、物干し竿１０４は、複数の支持部材１０１と、物干し竿取付棒１０３の先端に取り付けられた物干し竿１０４とを含んで構成される。支持部材１０１から延びた物干し竿取付棒１０３の先端には、物干し竿ホルダ１５０が取り付けられている。
【００１７】
物干し竿ホルダ１５０は、円筒状の開口を備え、当該開口に物干し竿１０４を挿通することにより、垂直方向に保持される。また、物干し竿ホルダ１５０の両側には、クランプネジ１５１、１５２が形成され、互いに右ネジ方向にねじることで、物干し竿１０４を水平方向に締め付けて固定し、または緩めることで開放すると共に、締付けされた場合には、物干し竿１０４の長さを固定する。さらに、物干し竿取付棒１０３は、支持部材１０１の収容スペース１０２の内側を紙面上下方向側に移動し、物干し竿１０４のカーテンレール１０７からの距離が可変とされ、突起１０６と、ストッパ１０５との係合機能により、図２の紙面上下方向に位置決めされている。なお、物干し竿１０４のカーテンレール１０７からの距離は、洗濯物の大きさやハンガの大きさなどを考慮して決定でき、また可変とされる。
【００１８】
図３は、本実施形態で使用する長さ可変の物干し竿１０４の構成を詳細に示した図である。本実施形態では、物干し竿１０４は、本体パイプ１０４ａと、延長パイプ１０４ｂ、ｃとから構成されている。延長パイプ１０４ｂ、ｃは、左右方向から本体パイプ１０４ａに引出自在に挿入された構成とされている。また説明する実施形態では、延長パイプ１０４ｂ、ｃの両端部には、端部ストッパ１５４が配置されていて、端部保護、ハンガなどの抜け落ちなどを防止する。また、好ましい実施形態では、端部ストッパ１５４は、ポリウレタン樹脂、シリコンゴム、合成ゴムなどの弾性材から形成されていて、延長パイプ１０４ｂが室内壁にまで延長された場合に、室内壁に押圧されて弾性変形することで、洗濯物の荷重を室内壁とともに受け止める機能を有する。なお、図３に示した実施形態では、延長パイプ１０４ｂだけがΔＤだけ引き出された形態を示している。
【００１９】
本体パイプ１０４ａと、延長パイプ１０４ｂ、ｃの接合部には、クランプ部材を配置し、クランプを開放した時には自在に移動し、クランプした場合に相互固定させることができる。また、本体パイプ１０４ａおよび延長パイプ１０４ｂ、ｃは、本体パイプ１０４ａに挿入される側にネジ棒／ナット機構を追加し、延長パイプ１０４ｂ、ｃを本体パイプ１０４ａに相対して回動させることにより、ネジピッチ分ずつ延長する構成とすることもできる。
【００２０】
いずれの構成を採用する場合でも、物干し竿１０４全体の長さを可変とすることができる限り、これまで知られたいかなる構成でも使用することができる。ただし、物干し竿１０４は、物干し竿ホルダ１５０により相対固定されるので、物干し竿１０４自体には、本体パイプ１０４ａと、延長パイプ１０４ｂ、ｃとを固定するための追加機構は備えなくともよい。
【００２１】
図４は、本実施形態の室内物干し装置１００の使用形態を示す。図４に示す使用形態では、物干し竿１０４は、最小長さ位置とされていて、ブラウス１６０やハンガに吊された洗濯物などがかけられている。図５は、洗濯物が多く、図４で示した長さでは、乾し場が足りず、延長パイプ１０４ｂ、ｃを引き出した状態での使用態様を示す。図５に示すように、物干し竿１０４は、図４で示した長さに比較して約２倍の長さとされている。例えば、窓枠１２０が、紙面左右方向１２００ｍｍある場合、物干し竿１０４は、およそ２４００ｍｍ程度まで延長することができ、多くの分譲または賃貸マンションの場合、２４００ｍｍあると、両端の室内壁に当接するに充分な長さとなる。
【００２２】
この場合、延長パイプ１０４ｂ、ｃを充分に引き出して端部ストッパ１５４と、室内壁との間に摩擦力が発生するようにして物干し竿１０４を固定することにより、物干し竿１０４に多量の洗濯物をかけることによるカーテンレール１０７への負荷を軽減でき、また物干し竿１０４の曲がりによる見栄えの悪さやハンガの落下も防止できる。同様に、リビングルームの場合でも、差し渡しで１８００ｍｍある窓では、物干し竿１０４は、およそ３０００ｍｍ程度まで延長することができ、両端の室内壁を支持体として使用することが可能である。
【００２３】
図５には、室内壁による保持性を向上させるため、端部ストッパ１５５を示す。端部ストッパ１５５は、端面が矩形の平面形状とされ、平面部には、ウレタンゴム、シリコンゴム、合成ゴムといった弾性部材１５６が貼り付けられている。端部ストッパ１５４と、端部ストッパ１５５とは、延長パイプ１０４ｂ、ｃの端部に形成された装着ネジにより必要に応じて交換可能とされていてもよい。
【００２４】
図６にはさらに他の使用形態を示す。図６に示した使用形態では、物干し竿１０４が室内壁にまで延ばせない場合に使用形態である。延長された物干し竿１０４は、その端部で、支持ステー１７１または、支持ステー１７０により補強支持されている。なお、図６では、支持ステー１７０、支持ステー１７１として例示の目的で両側で異なった支持形式を使用しているものとして説明する。しかしながら、さらに他の実施形態では、両側とも支持ステー１７０、両側とも支持ステー１７１として物干し竿１０４を補強支持することができる。
【００２５】
支持ステー１７０は、物干し竿１０４の端部に装着されたクランプホルダにより固定され、先端に傾斜して室内壁１４０に平行になるように設定されたストッパを備えていて、ストッパが室内壁１４０に摩擦力によって保持される。支持ステー１７０を使用する実施形態では、洗濯物が多くなればなるほど下側に向かう力が大きくなるので、逆に摩擦力も増加し、好適な支持性を与えることができる。
【００２６】
支持ステー１７１についても物干し竿１０４に装着されたクランプホルダにより固定されている。また、支持ステー１７１は、床面１８０から、ストッパを介してクランプホルダまで延びていて、支持ステー１７１の長さが、長さ調節部材１７２により調節可能とされている。支持ステー１７１を使用する場合、適切な長さにまで支持ステー１７１を伸ばした後、クランプホルダに支持ステー１７１を取付け、クランプホルダの固定ネジを締め付けることにより、補強支持を行うことができる。
【００２７】
本実施形態の支持部材１０１の材質は、プラスチック、複合材、アルミニウムなどの金属材料とすることができ、滑り性を改善する目的で開口１００ａを、ポリフロロエチレン、ポリプロピレン、シリコーンなどで構成するか、コーティングすることができる。支持部材１０１の固定部材への取付は、留め部材１０８を使用することもできるし、釘、木ねじ、両面テープなど、必要とされる耐力を考慮して選択することができる。
【００２８】
また、室内物干し装置１００を固定する固定部材は、カーテンレール１０７に限定されることはなく、長押、梁、または室内壁の水平部分、本棚など支持部材１０１を取り付けることができる水平部分を有している限り、いかなるものでも利用することができる。さらに本考案は、上述した支持部材１０１、物干し竿取付棒１０３の必要とされるセットおよび物干し竿１０４などを含む室内物干しユニットとして提供され、ユーザが、ユニットを購入して自宅でカーテンレール１０７に設置する形態とすることもできる。
【００２９】
これまで本実施形態につき説明してきたが、本考案は、上述した実施形態に限定されるものではなく、他の実施形態、追加、変更、削除など、当業者が想到することができる範囲内で変更することができ、いずれの態様においても本考案の作用・効果を奏する限り、本考案の範囲に含まれるものである。
【符号の説明】
【００３０】
１００  室内物干し装置
１００ａ  開口
１０１  支持部材
１０２  収容スペース
１０３  物干し竿取付棒
１０４  物干し竿
１０４ａ  本体パイプ
１０４ｂ、ｃ  延長パイプ
１０５  ストッパ
１０６  突起
１０７  カーテンレール
１０８  留め部材
１０９  遊び
１１０  カーテン
１２０  窓枠
１３０  窓
１４０  室内壁
１５０  物干し竿ホルダ
１５１、１５２  クランプネジ
１５３  カーテンレール取付具
１５４、１５５  端部ストッパ
１５６  弾性部材
１６０  ブラウス
１７０、１７１  支持ステー
１７２  調節部材
１８０  床面
【図１】
0003158884.tif 000003
【図２】
0003158884.tif 000004
【図３】
0003158884.tif 000005
【図４】
0003158884.tif 000006
【図５】
0003158884.tif 000007
【図６】
0003158884.tif 000008
【手続補正書】
【提出日】平成22年2月17日(2010.2.17)
【手続補正１】
【補正対象書類名】実用新案登録請求の範囲
【補正対象項目名】全文
【補正方法】変更
【補正の内容】
【実用新案登録請求の範囲】
【請求項１】
物干し竿ホルダを一端に備え、他端にストッパを備える物干し竿取付棒と、
前記物干し竿取付棒の前記ストッパを備える他端を収容し、前記ストッパと係合する突起が上側から延び、かつ前記物干し竿取付棒を挿通する開口を備える収容スペースを有するとともに室内に配置された固定部材に固定される支持部材と、
伸縮可能であり、弾性体を含む端部ストッパを両端に備え、かつ前記物干し竿ホルダに装着されて洗濯物を吊すための物干し竿と
を含む、室内物干し装置。
【請求項２】
物干し竿ホルダを一端に備え、他端にストッパを備える物干し竿取付棒と、
前記物干し竿取付棒の前記ストッパを備える他端を収容し、前記ストッパと係合する突起が上側から延び、かつ前記物干し竿取付棒を挿通する開口を備える収容スペースを有するとともに室内に配置された固定部材に固定される支持部材と、
伸縮可能であり、弾性体を含む端部ストッパを両端に備え、かつ前記物干し竿ホルダに装着されて洗濯物を吊すための物干し竿とを含み、
前記物干し竿ホルダの締付けにより前記物干し竿が固定され、前記物干し竿ホルダの開放により、前記物干し竿の長さが伸縮可能とされており、前記物干し竿の延長時に前記物干し竿の端部ストッパが室内壁に突っ張って洗濯物の荷重を支持する、室内物干し装置。
【請求項３】
物干し竿ホルダを一端に備え、他端にストッパを備える物干し竿取付棒と、
前記物干し竿取付棒の前記ストッパを備える他端を収容し、前記ストッパと係合する突起が上側から延び、かつ前記物干し竿取付棒を挿通する開口を備える収容スペースを有するとともに室内に配置された固定部材に固定される支持部材と
伸縮可能であり、弾性体を含む端部ストッパを両端に備え、かつ前記物干し竿ホルダに装着されて洗濯物を吊すための物干し竿と
を含み、
前記ストッパは、前記収容スペースの高さから前記突起の高さを減じたよりも短い長さとされ、前記開口は、前記物干し竿取付棒よりも大きく形成されて、前記ストッパと前記突起とが、前記物干し竿取付棒の荷重バランスに基づき前記物干し竿取付棒が水平面に相対して傾斜することにより前記突起に係合して前記物干し竿取付棒を固定し、前記物干し竿取付棒を反対側に傾斜させることにより前記物干し竿取付棒の前記固定部材との相対距離が可変とされる、室内物干し装置。
【請求項４】
物干し竿ホルダを一端に備え、他端にストッパを備える物干し竿取付棒と、
前記物干し竿取付棒の前記ストッパを備える他端を収容し、前記ストッパと係合する突起が上側から延び、かつ前記物干し竿取付棒を挿通する開口を備える収容スペースを有するとともに室内に配置された固定部材に固定される支持部材と
伸縮可能であり、弾性体を含む端部ストッパを両端に備え、かつ前記物干し竿ホルダに装着されて洗濯物を吊すための物干し竿と
を含み、
前記ストッパは、前記収容スペースの高さから前記突起の高さを減じたよりも短い長さとされ、前記開口は、前記物干し竿取付棒よりも大きく形成されて、前記ストッパと前記突起とが、前記物干し竿取付棒の荷重バランスに基づき前記物干し竿取付棒が水平面に相対して傾斜することにより前記突起に係合して前記物干し竿取付棒を固定し、前記物干し竿取付棒を反対側に傾斜させることにより前記物干し竿取付棒の前記固定部材との相対距離が可変とされ、前記物干し竿ホルダの締付けにより前記物干し竿が固定され、前記物干し竿ホルダの開放により、前記物干し竿の長さが伸縮可能とされており、前記物干し竿の延長時に前記物干し竿の端部ストッパが室内壁に突っ張って洗濯物の荷重を支持する、室内物干し装置。
【請求項５】
物干し竿ホルダを一端に備え、他端にストッパを備える物干し竿取付棒と、
前記物干し竿取付棒の前記ストッパを備える他端を収容し、前記ストッパと係合する突起が上側から延び、かつ前記物干し竿取付棒を挿通する開口を備える収容スペースを有するとともに室内に配置された固定部材に固定される支持部材と
伸縮可能であり、弾性体を含む端部ストッパを両端に備え、かつ前記物干し竿ホルダに装着されて洗濯物を吊すための物干し竿と
を含み、
前記ストッパは、前記収容スペースの高さから前記突起の高さを減じたよりも短い長さとされ、前記開口は、前記物干し竿取付棒よりも大きく形成されて、前記ストッパと前記突起とが、前記物干し竿取付棒の荷重バランスに基づき前記物干し竿取付棒が水平面に相対して傾斜することにより前記突起に係合して前記物干し竿取付棒を固定し、前記物干し竿取付棒を反対側に傾斜させることにより前記物干し竿取付棒の前記固定部材との相対距離が可変とされ、前記物干し竿ホルダの締付けにより前記物干し竿が固定され、前記物干し竿ホルダの開放により、前記物干し竿の長さが伸縮可能とされており、前記物干し竿に装着され、前記物干し竿の延長時に前記物干し竿に交差する方向に延びた支持ステーが室内壁に突っ張って前記洗濯物の荷重を支持する、室内物干し装置。
【請求項６】
物干し竿ホルダを一端に備え、他端にストッパを備える物干し竿取付棒と、
前記物干し竿取付棒の前記ストッパを備える他端を収容し、前記ストッパと係合する突起が上側面から延び、かつ前記物干し竿取付棒を挿通する開口を備える収容スペースを有するとともに室内に配置された固定部材に固定される支持部材と
伸縮可能であり、弾性体を含む端部ストッパを両端に備え、かつ前記物干し竿ホルダに装着されて洗濯物を吊すための物干し竿と
を含み、
前記ストッパは、前記収容スペースの高さから前記突起の高さを減じたよりも短い長さとされ、前記開口は、前記物干し竿取付棒よりも大きく形成されて、前記ストッパと前記突起とが、前記物干し竿取付棒の荷重バランスに基づき前記物干し竿取付棒が水平面に相対して傾斜することにより前記突起に係合して前記物干し竿取付棒を固定し、前記物干し竿取付棒を反対側に傾斜させることにより前記物干し竿取付棒の前記固定部材との相対距離が可変とされ、前記物干し竿ホルダの締付けにより前記物干し竿が固定され、前記物干し竿ホルダの配向により、前記物干し竿の長さが伸縮可能とされており、前記物干し竿に装着され、前記物干し竿の延長時に前記物干し竿に交差する方向に延びた支持ステーが床面に突っ張って前記洗濯物の荷重を支持する、室内物干し装置。
【請求項７】
物干し竿ホルダを一端に備え、他端にストッパを備える物干し竿取付棒と、
前記物干し竿取付棒の前記ストッパを備える他端を収容し、前記ストッパと係合する突起が上側から延び、かつ前記物干し竿取付棒を挿通する開口を備える収容スペースを有するとともに室内に配置された固定部材に固定される支持部材と、
伸縮可能であり、弾性体を含む端部ストッパを両端に備え、かつ前記物干し竿ホルダに装着されて洗濯物を吊すための物干し竿と
を含む室内物干しユニット。